(57)【要約】【課題】無線接続システムでメッセージ伝送方法を提供する。【解決手段】無線接続システムで移動局と基地局間の動作状態を切り換えるためのメッセージ伝送方法は、前記移動局で、前記基地局に前記移動局と前記基地局間動作状態の切換を要請する第１メッセージを伝送し、同時に、既に設定された第１値に第１回数を設定し、第１タイマーを駆動するものの、前記基地局から第２メッセージを受信する前に前記第１タイマーが満了すると、前記回数が減少し、もし、前記回数が既に設定された第２値以上であると、前記第１タイマーは再設定され、前記第１メッセージは前記基地局に再伝送される段階を含む。【選択図】図１
2008516473.tif 000002
【特許請求の範囲】
【請求項１】
無線接続システムで移動局と基地局間の動作状態を切り換えるためのメッセージ伝送方法において、前記方法は、
前記移動局で、前記基地局に前記移動局と前記基地局間動作状態の切換を要請する第１メッセージを伝送し、同時に、既に設定された第１値に第１回数を設定し、第１タイマーを駆動するものの、前記基地局から第２メッセージを受信する前に前記第１タイマーが満了すると前記回数が減少し、もし、前記回数が既に設定された第２値以上であると、前記第１タイマーは再設定され、前記第１メッセージは前記基地局に再伝送される段階と、
基地局で、前記第１メッセージを受信し、前記移動局に動作状態切換に対する前記移動局の要求を承認する第２メッセージを伝送し、第２タイマーを駆動するものの、前記第２タイマーが満了すると前記動作状態が切り換わり、他の第１メッセージを受信するまで前記第２メッセージは前記移動局に再伝送され、前記第２タイマーは再設定される段階と、
を含む、メッセージ伝送方法。
【請求項２】
前記第１メッセージは、登録解除要請メッセージ（ＤＲＥＧ−ＲＥＱ）であり、前記第１タイマーは登録解除命令待機タイマーであり、前記第１回数は登録解除要請再伝送回数であり、前記動作状態の切換は遊休モード（ｉｄｌｅ  ｍｏｄｅ）への切換であり、前記第２メッセージは登録解除命令（ＤＲＥＧ−ＣＭＤ）であり、前記第２タイマーは資源管理維持タイマーであることを特徴とする、請求項１に記載のメッセージ伝送方法。
【請求項３】
前記移動局で、前記基地局から受信した前記第２メッセージに対応してスキャン動作を行う段階をさらに含むことを特徴とする、請求項１に記載のメッセージ伝送方法。
【請求項４】
前記移動局は、前記基地局から受信した前記第２メッセージに対応して遊休モードに進入する段階をさらに含むことを特徴とする、請求項１に記載のメッセージ伝送方法。
【請求項５】
無線接続システムで移動局と基地局間に動作状態を切り換えるための方法において、前記方法は、
動作状態の切換を要請する第１メッセージを受信する段階と、
動作状態の切換を承認する第２メッセージを伝送する段階と、
タイマーを駆動する段階と、
前記タイマーが満了するまで、動作状態の切換を有効にする段階、及び他の第１メッセージを受信するまで、前記第２メッセージを再伝送し、前記タイマーを再設定する段階と、
を含む、動作状態切換方法。
【請求項６】
前記第１メッセージは登録解除要請メッセージ（ＤＲＥＧ−ＲＥＱ）であり、前記動作状態切換は遊休モードへの切換であり、前記第２メッセージは登録解除命令メッセージ（ＤＲＥＧ−ＣＭＤ）であり、前記タイマーは資源管理維持タイマーであることを特徴とする、請求項５に記載の動作状態切換方法。
【請求項７】
無線接続システムで移動局と基地局間に動作状態を切り換えるための方法において、前記方法は、
前記動作状態の切換を指示する第１メッセージを伝送する段階と、
第１タイマーを駆動し、既に設定された第１値に対する回数を設定する段階と、
第２タイマーを駆動するものの、第２メッセージを受信する前に前記第１タイマーが満了する場合、前記回数は減少し、もし、前記回数が既に設定された値以上であると、前記第１タイマーは再設定され、前記第１メッセージは再伝送され、前記第２タイマーが満了すると、前記動作状態切換が有効になる段階と、
を含む、動作状態切換方法。
【請求項８】
前記第１メッセージは要請されなかった登録解除命令メッセージ（ｕｎｓｏｌｉｃｉｔｅｄ  ＤＲＥＧ−ＲＥＱ）であり、前記動作状態切換は遊休モードへの切換であり、前記第２メッセージは登録解除要請メッセージ（ＤＲＥＧ−ＲＥＱ）及び登録解除承認メッセージ（ＤＲＥＧ−ＡＣＫ）のうちの少なくとも一つであり、前記第１タイマーは登録解除応答待機タイマーであり、前記第２タイマーは資源管理維持タイマーであることを特徴とする、請求項７に記載の動作状態切換方法。
【請求項９】
無線接続システムで移動局と基地局間の動作状態を切り換えるためのシステムにおいて、前記システムは、
前記移動局で、前記基地局に前記移動局と前記基地局間動作状態の切換を要請する第１メッセージを伝送し、同時に、既に設定された第１値に第１回数を設定し、第１タイマーを駆動するものの、前記基地局から第２メッセージを受信する前に前記第１タイマーが満了すると、前記回数が減少し、もし、前記回数が既に設定された第２値以上であると、前記第１タイマーは再設定され、前記第１メッセージは前記基地局に再伝送される手段と、
基地局で、前記第１メッセージを受信し、前記移動局に動作状態切換に対する前記移動局の要求を承認する第２メッセージを伝送し、第２タイマーを駆動するものの、前記第２タイマーが満了すると前記動作状態が切り換わり、他の第１メッセージを受信するまで、前記第２メッセージは前記移動局に再伝送され、前記第２タイマーは再設定される手段と、
を含む、システム。
【請求項１０】
前記第１メッセージは登録解除要請メッセージ（ＤＲＥＧ−ＲＥＱ）であり、前記第１タイマーは登録解除命令待機タイマーであり、前記第１回数は登録解除要請再伝送回数であり、前記動作状態の切換は遊休モード（ｉｄｌｅ  ｍｏｄｅ）への切換であり、前記第２メッセージは登録解除命令（ＤＲＥＧ−ＣＭＤ）であり、前記第２タイマーは資源管理維持タイマーであることを特徴とする、請求項９に記載のシステム。
【請求項１１】
前記移動局で、前記基地局から受信した前記第２メッセージに対応してスキャン動作を行う手段をさらに含むことを特徴とする、請求項９に記載のシステム。
【請求項１２】
前記移動局は、前記基地局から受信した前記第２メッセージに対応して遊休モードに進入する手段をさらに含むことを特徴とする、請求項９に記載のシステム。
【請求項１３】
無線接続システムで移動局と基地局間に動作状態を切り換えるためのネットワークにおいて、前記ネットワークは、
動作状態の切換を要請する第１メッセージを受信する手段と、
動作状態の切換を承認する第２メッセージを伝送する手段と、
タイマーを駆動する手段と、
前記タイマーが満了するまで動作状態の切換を有効にする手段、及び他の第１メッセージを受信するまで、前記第２メッセージを再伝送し、前記タイマーを再設定する手段と、
を含む、ネットワーク。
【請求項１４】
前記第１メッセージは登録解除要請メッセージ（ＤＲＥＧ−ＲＥＱ）であり、前記動作状態切換は遊休モードへの切換であり、前記第２メッセージは登録解除命令メッセージ（ＤＲＥＧ−ＣＭＤ）であり、前記タイマーは資源管理維持タイマーであることを特徴とする、請求項１３に記載のネットワーク。
【請求項１５】
無線接続システムで移動局と基地局間に動作状態を切り換えるためのネットワークにおいて、前記ネットワークは、
前記動作状態の切換を指示する第１メッセージを伝送する手段と、
第１タイマーを駆動する手段、及び既に設定された第１値に対する回数を設定する手段と、
第２タイマーを駆動するものの、第２メッセージを受信する前に前記第１タイマーが満了する場合、前記回数は減少し、もし、前記回数が既に設定された値以上であると、前記第１タイマーは再設定され、前記第１メッセージは再伝送され、前記第２タイマーが満了すると、前記動作状態切換が有効になる手段と、
を含む、動作状態切換方法。
【請求項１６】
前記第１メッセージは要請されなかった登録解除命令メッセージ（ｕｎｓｏｌｉｃｉｔｅｄ  ＤＲＥＧ−ＲＥＱ）であり、前記動作状態切換は遊休モードへの切換であり、前記第２メッセージは登録解除要請メッセージ（ＤＲＥＧ−ＲＥＱ）及び登録解除承認メッセージ（ＤＲＥＧ−ＡＣＫ）のうちの少なくとも一つであり、前記第１タイマーは登録解除応答待機タイマーであり、前記第２タイマーは資源管理維持タイマーであることを特徴とする、請求項１５に記載のネットワーク。
【発明の詳細な説明】
【技術分野】
【０００１】
本発明は、無線接続システムに係り、より詳細には、無線接続システムでのメッセージ伝送に関する。
【背景技術】
【０００２】
一般に、広帯域無線接続システムに対する国際標準化を進行しているＩＥＥＥ８０２．１６ｅのシステムは、移動局（ＭＳ：Ｍｏｂｉｌｅ  Ｓｔａｔｉｏｎ）、基地局（ＢＳ：Ｂａｓｅ  Ｓｔａｔｉｏｎ）及び認証管理サーバーであるＡＳＡ（Ａｕｔｈｅｎｔｉｃａｔｉｏｎ  Ｓｅｒｖｉｃｅ  Ａｕｔｈｏｒｉｚａｔｉｏｎ）だけで構成されている。この場合、前記基地局と移動局との間には、共通した物理階層（ＰＨＹ：Ｐｈｙｓｉｃａｌ  ｌａｙｅｒ）と接続制御階層（ＭＡＣ：Ｍｅｄｉｕｍ  Ａｃｃｅｓｓ  Ｃｏｎｔｒｏｌ）が定義される。
【０００３】
１．スキャン（Ｓｃａｎ）
図１は、スキャン要請（ＭＯＢ−ＳＣＮ−ＲＥＱ）メッセージのフォーマットを示す図であり、図２は、スキャン応答（例えば、ＭＯＢ−ＳＣＮ−ＲＳＰ）メッセージのフォーマットを示す図である。
【０００４】
移動局は、近隣基地局（ｎｅｉｇｈｂｏｒ  ＢＳ）の信号品質を測定し、ハンドオーバー（ｈａｎｄｏｖｅｒ）時に新しく接続する基地局（Ｔａｒｇｅｔ  ＢＳ）を決定するために、現在接続している基地局（Ｓｅｒｖｉｎｇ  ＢＳ）に検索区間（ｓｃａｎｎｉｎｇ  ｉｎｔｅｒｖａｌ）を要請する。この要請は、図１に示すスキャン要請（ＭＯＢ−ＳＣＮ−ＲＥＱ）メッセージを通じてなされ、この要請に対する応答として基地局は、図２に示すように、スキャンと関連した情報を含むスキャン応答（ＭＯＢ−ＳＣＮ−ＲＳＰ）メッセージを移動局に伝送する。
【０００５】
２．睡眠モード（Ｓｌｅｅｐ  ｍｏｄｅ）
広帯域無線接続システムでは、移動局の電力消耗を最小化するために睡眠モード（ｓｌｅｅｐ  ｍｏｄｅ）を支援する。睡眠モードの移動局は、一定な割合で増加する睡眠区間（ｓｌｅｅｐ  ｉｎｔｅｒｖａｌ）によって動作する。睡眠区間は、聴取期間（ｌｉｓｔｅｎｉｎｇ  ｗｉｎｄｏｗ）と睡眠期間（ｓｌｅｅｐ  ｗｉｎｄｏｗ）とで構成される。
【０００６】
聴取期間は、睡眠要請／睡眠応答メッセージを通じてその値が固定され、この期間で、移動局は、基地局から伝送されてくる放送形態のＭＡＣ管理メッセージ（ＭＯＢ−ＴＲＦ−ＩＮＤ）を通じて自分への下りトラフィックがあるか、または、上り通信維持及び信号品質による適切な下りコーディングタイプ維持のためのレンジングを行うべきかに対する指示を受ける。睡眠期間は、移動局が電力節約のために基地局から最小限の下り信号だけを受信する期間である。この睡眠期間で、移動局は、ハンドオーバーのための周辺基地局のスキャニングと上り通信維持及び信号品質による適切な下りコーディングタイプ維持のためのレンジングなどを行う。
【０００７】
図３は、睡眠要請（例えば、ＭＯＢ−ＳＬＰ−ＲＥＱ）メッセージのフォーマットを示す図である。図４は、睡眠応答（例えば、ＭＯＢ−ＳＬＰ−ＲＳＰ）メッセージのフォーマットを示す図である。
【０００８】
睡眠モードの初期化は、移動局と基地局間に睡眠要請（ＭＯＢ−ＳＬＰ−ＲＥＱ）メッセージと睡眠応答（ＭＯＢ−ＳＬＰ−ＲＳＰ）メッセージを相互にやり取りすることによってなされる。特に、移動局は、正常な動作モードから睡眠モードに切り換えるために、基地局へ図３に示すような睡眠要請（ＭＯＢ−ＳＬＰ−ＲＥＱ）メッセージを伝送する。これに応答して、基地局は、図４に示すような睡眠応答（ＭＯＢ−ＳＬＰ−ＲＳＰ）メッセージを移動局に伝送する。
【０００９】
３．遊休モード（ｉｄｌｅ  ｍｏｄｅ）
遊休モードは、移動局が複数の基地局が担当する領域を移動するとき、特定基地局に登録せずとも、周期的に伝送されてくる下り放送トラフィックメッセージ（ＭＯＢ−ＰＡＧ−ＡＤＶ）のみを受信することによって電力消耗を防止できるようにするモードである。遊休モードでは、ハンドオーバーに対する移動局のシグナリング（ｓｉｇｎａｌｉｎｇ）要求事項がないし、スキャニングと関連した動作を制限するため、移動局は電力と接続ＩＤ（Ｃｏｎｎｅｃｔｉｏｎ  ＩＤ）のような資源を節約できる。
【００１０】
図５は、登録解除要請（例えば、ＤＲＥＧ−ＲＥＱ）メッセージのフォーマットを示す図である。図５を参照すると、移動局は、遊休モード初期化（Ｉｎｉｔｉａｔｉｏｎ）のために基地局に登録解除要請（ＤＲＥＧ−ＲＥＱ）メッセージを伝送し、これに応答して、基地局は移動局の遊休モード許可と関連した情報を含む登録解除命令（ＤＲＥＧ−ＣＭＤ）メッセージを伝送する。移動局へのＤＲＥＧ−ＣＭＤメッセージの伝送後に、基地局は、移動局とのＭＡＣ管理メッセージ送受信のための基本接続（Ｂａｓｉｃ  Ｃｏｎｎｅｃｔｉｏｎ）、第１接続（Ｐｒｉｍａｒｙ  Ｃｏｎｎｅｃｔｉｏｎ）、及び標準基盤メッセージ（Ｓｔａｎｄａｒｄ−ｂａｓｅｄ  ｍｅｓｓａｇｅ）（ＤＨＣＰ、ＴＦＴＰ等）のための第２接続（Ｓｅｃｏｎｄａｒｙ  Ｃｏｎｎｅｃｔｉｏｎ）等のような管理資源を解除（Ｒｅｌｅａｓｅ）する。
【００１１】
図６は、登録解除命令（例えば、ＤＲＥＧ−ＣＭＤ）メッセージに含まれる動作コードの一例を示す図である。このように、図６は、ＤＲＥＧ−ＣＭＤメッセージに含まれる動作コードである。移動局は、動作コードが表す指示によって動作を行う。例えば、コードが０Ｘ０５なら、移動局は、該当の基地局において登録解除（Ｄｅ−ｒｅｇｉｓｔｒａｔｉｏｎ）手順を行い、遊休モードを初期化する。また、基地局は、移動局がＤＲＥＧ−ＲＥＱメッセージを要請しなかった場合にも、動作コード０Ｘ０５を持つＤＲＥＧ−ＣＭＤ（Ｕｎｓｏｌｉｃｉｔｅｄ  ＤＲＥＧ−ＣＭＤ）メッセージを伝送することによって、移動局が遊休モードに入るようにすることができる。
【００１２】
上述したように、移動局は、基地局にスキャン要請（ＭＯＢ−ＳＣＮ−ＲＥＱ）メッセージ、睡眠要請（ＭＯＢ−ＳＬＰ−ＲＥＱ）メッセージ及び登録解除要請（ＤＲＥＧ−ＲＥＱ）メッセージのうちのいずれかを伝送し、その応答として基地局からスキャン応答（ＭＯＢ−ＳＣＮ−ＲＳＰ）メッセージ、睡眠応答（ＭＯＢ−ＳＬＰ−ＲＳＰ）メッセージ及び登録解除命令（ＤＲＥＧ−ＣＭＤ）メッセージのいずれかを待つ。
【００１３】
図７は、スキャン要請及び応答メッセージが遺失される場合を示す信号流れずである。図８は、睡眠要請及び応答メッセージが遺失される場合を示す信号流れ図である。図９は、登録解除要請及び命令メッセージが遺失される場合を示す信号流れ図である。図７乃至図９に示すように、無線リンクの限定された資源と無線上の環境的要因によって、移動局が基地局に伝送したＭＯＢ−ＳＣＮ−ＲＥＱメッセージ、ＭＯＢ−ＳＬＰ−ＲＥＱメッセージ及びＤＲＥＧ−ＲＥＱメッセージが正常に伝送されない、または、基地局が移動局に応答したＭＯＢ−ＳＣＮ−ＲＳＰメッセージ、ＭＯＢ−ＳＬＰ−ＲＳＰメッセージ及びＤＲＥＧ−ＣＭＤメッセージが正常に伝送されれない場合がある。
【００１４】
しかしながら、現行の広帯域無線接続システムでは移動局の次の動作に関する処理手順が定義されいないため、移動局や基地局が誤った動作を行う可能性が高い。
【００１５】
遊休モードで、基地局が移動局へＤＲＥＧ−ＣＭＤメッセージを伝送すると同時に、設定されていた接続（基本接続、第１接続及び第２接続）を解除する。したがって、もし移動局がＤＲＥＧ−ＣＭＤメッセージを受信できず、ＤＲＥＧ−ＲＥＱを再伝送する場合に使用可能な接続（基本接続）がなくなる。また、移動局がＤＲＥＧ−ＲＥＱメッセージを通じて遊休モード初期化を要請しなかったとしても、基地局が移動局を遊休モードに切り換えるために伝送したＤＲＥＧ−ＣＭＤ（Ｕｎｓｏｌｉｃｉｔｅｄ  ＤＲＥＧ−ＣＭＤ）メッセージが無線上で遺失された場合、移動局は正常な動作モードで引き続き作動し、基地局は、移動局が遊休モードに切り替わったと判断した後、該当の移動局に対する管理資源を解除することになる。その結果、移動局は、以降基地局にメッセージを伝送できなくなる。
【発明の開示】
【発明が解決しようとする課題】
【００１６】
したがって、本発明は、上記従来技術の限界及び不利な点に起因する１つ以上の問題を実質的に解決するための、無線接続システムでのメッセージ伝送方法に関する。
【００１７】
本発明の目的は、無線接続システムで移動局と基地局間のメッセージ伝送を支援することにある。
【００１８】
本発明の他の目的は、無線リンク資源及び／または無線環境的要因のためにメッセージが遺失される場合に有効なメッセージの伝送を提供することにある。
【００１９】
本発明の追加的な利点、目的及び特徴は、一部は以下の詳細な説明で説明され、一部は以下説明に基づいて当該技術分野における通常の知識を持つ者にとっては明白なもので、本発明の実行によって明らかになるであろう。上記発明の目的、他の利点は、添付の図面の他、ここに作成された説明及び請求項で指摘された構造によって実現され、得られることができる。
【課題を解決するための手段】
【００２０】
以上の目的及び他の利点を得るために、そして、発明の目的に応じてここに具体化され且つ概略説明されるように、一実施例として、無線接続システムで移動局と基地局間の動作状態を切り換えるためのメッセージ伝送方法は、前記移動局で、前記基地局に前記移動局と前記基地局間動作状態の切換を要請する第１メッセージを伝送し、同時に、第１回数を既に設定された第１値に設定し、第１タイマーを駆動するものの、前記基地局から第２メッセージを受信する前に前記第１タイマーが満了すると前記回数が減少し、もし前記回数が既に設定された第２値以上であると、前記第１タイマーは再設定され、前記第１メッセージは前記基地局に再伝送される段階を含む。前記方法はまた、基地局で、前記第１メッセージを受信し、前記移動局に動作状態切換に対する前記移動局の要求を承認する第２メッセージを伝送し、第２タイマーを駆動するものの、前記第２タイマーが満了すると前記動作状態が切り換わり、他の第１メッセージを受信するまで前記第２メッセージは前記移動局に再伝送され、前記第２タイマーは再設定される段階を含む。
【００２１】
前記第１メッセージは登録解除要請メッセージ（ＤＲＥＧ−ＲＥＱ）であり、前記第１タイマーは登録解除命令待機タイマーであり、前記第１回数は登録解除要請再伝送回数であり、前記動作状態の切換は遊休モード（ｉｄｌｅ  ｍｏｄｅ）への切換であり、前記第２メッセージは登録解除命令（ＤＲＥＧ−ＣＭＤ）であり、前記第２タイマーは資源管理維持タイマーであることを特徴とする。前記方法は、前記移動局で前記基地局から受信した前記第２メッセージに対応してスキャン動作を行う段階をさらに含むことができる。前記方法は、前記移動局で前記基地局から受信した前記第２メッセージに対応して遊休モードに進入する段階をさらに含むことができる。
【００２２】
他の実施例として、無線接続システムで移動局と基地局間に動作状態を切り換えるための方法は、動作状態の切換を要請する第１メッセージを受信する段階を含む。前記方法はまた、動作状態の切換を承認する第２メッセージを伝送する段階を含む。前記方法はまた、タイマーを駆動する段階を含む。前記方法はまた、前記タイマーが満了するまで、動作状態の切換を有効にする段階、及び他の第１メッセージを受信するまで、前記第２メッセージを再伝送し、前記タイマーを再設定する段階を含む。
【００２３】
前記第１メッセージは登録解除要請メッセージ（ＤＲＥＧ−ＲＥＱ）であり、前記動作状態切換は遊休モードへの切換であり、前記第２メッセージは登録解除命令メッセージ（ＤＲＥＧ−ＣＭＤ）であり、前記タイマーは資源管理維持タイマーであることを特徴とする。
【００２４】
さらに他の実施例として、無線接続システムで移動局と基地局間に動作状態を切り換えるための方法は、前記動作状態の切換を指示する第１メッセージを伝送する段階を含む。前記方法はまた、第１タイマーを駆動する段階、及び既に設定された第１値に対する回数を設定する段階を含む。前記方法はまた、第２タイマーを駆動するものの、第２メッセージを受信する前に前記第１タイマーが満了する場合、前記回数は減少し、もし前記回数が既に設定された値以上であると、前記第１タイマーは再設定され、前記第１メッセージは再伝送され、前記第２タイマーが満了すると、前記動作状態切換が有効になる段階を含む。
【００２５】
前記第１メッセージは要請されなかった登録解除命令メッセージ（ｕｎｓｏｌｉｃｉｔｅｄ  ＤＲＥＧ−ＲＥＱ）であり、前記動作状態切換は遊休モードへの切換であり、前記第２メッセージは登録解除要請メッセージ（ＤＲＥＧ−ＲＥＱ）及び登録解除承認メッセージ（ＤＲＥＧ−ＡＣＫ）のうち少なくとも一つであり、前記第１タイマーは登録解除応答待機タイマーであり、前記第２タイマーは資源管理維持タイマーであることを特徴とする。
【００２６】
本発明の以上の、そして他の目的、特徴、様相及び利点は、添付の図面に基づいて行われる以下の本発明の詳細な説明からより明確になる。以上の一般的な説明及び以下の本発明の詳細な説明はいずれも例示的で且つ説明的なもので、請求範囲によって発明の追加的な説明が提供されることと理解しなければならない。
【発明の効果】
【００２７】
本発明は、広帯域無線接続システムに適用可能である。
【発明を実施するための最良の形態】
【００２８】
以下、本発明の好ましい実施形態、添付された図面に表された例について詳細に説明する。図面中、同一の構成要素には可能な限り同一の参照番号を共通使用するものとする。
【００２９】
本発明は、広帯域無線接続システムで具現される。これに限定されず、本発明は他の標準によって動作する無線通信システムにも適用可能である。
【００３０】
本発明は、広帯域無線接続システムで移動局がハンドオーバーのために周辺基地局のチャネル品質を測定するためのスキャン要請（ＭＯＢ−ＳＣＮ−ＲＥＱ）及びスキャン応答（ＭＯＢ−ＳＣＮ−ＲＳＰ）メッセージ、移動局が睡眠（Ｓｌｅｅｐ）モードを初期化するために基地局と送受信する睡眠要請（ＭＯＢ−ＳＬＰ−ＲＥＱ）及び睡眠応答（ＭＯＢ−ＳＬＰ−ＲＳＰ）メッセージ、そして移動局が遊休（Ｉｄｌｅ）モードを初期化するために基地局と送受信する登録解除要請（ＤＲＥＧ−ＲＥＱ）及び登録解除命令（ＤＲＥＧ−ＣＭＤ）メッセージを最適化する方法を提案する。特に、本発明は、広帯域無線接続時ステムで無線リンクの限定された資源と無線上の環境的要因によってメッセージが遺失される場合に有効な移動局と基地局間のメッセージ伝送手順を提案する。
【００３１】
このため、本発明では、移動局がスキャン要請、睡眠要請及び登録解除要請メッセージに対する応答待機タイマーを運用し、これらのメッセージの要請再試み回数を設定して、これら要請メッセージの再伝送を行う。
【００３２】
まず、本発明は、スキャン動作を行うとき、スキャン応答待機タイマーとスキャン要請再試み回数を設定して、スキャン要請（ＭＯＢ−ＳＣＮ−ＲＥＱ）メッセージの再伝送を行う。
【００３３】
移動局は、基地局にＭＯＢ−ＳＣＮ−ＲＥＱメッセージを伝送すると同時に、スキャン応答待機タイマーを設定する。もし、移動局は、前記タイマーの終了する前に基地局からＭＯＢ−ＳＣＮ−ＲＳＰメッセージを受信できないと、ＭＯＢ−ＳＣＮ−ＲＥＱメッセージまたはＭＯＢ−ＳＣＮ−ＲＳＰメッセージが無線リンク上で遺失されたと見なし、スキャン要請再試み回数が残っている場合に基地局にＭＯＢ−ＳＣＮ−ＲＥＱメッセージを再伝送する。
【００３４】
表１は、本発明によるスキャン応答待機タイマーの駆動時間とスキャン要請再試み回数の例示図である。
【００３５】
【表１】
2008516473.tif 000003
なお、本発明は、睡眠モードの初期化を行うとき、睡眠応答待機タイマーと睡眠要請再試み回数を設定して、睡眠要請（ＭＯＢ−ＳＬＰ−ＲＥＱ）メッセージの再伝送を行う。
【００３６】
移動局は、基地局に睡眠要請（ＭＯＢ−ＳＬＰ−ＲＥＱ）メッセージを伝送すると同時に、睡眠応答待機タイマーを設定する。もし、特定タイマー時間内に基地局から睡眠応答メッセージを受信できないと、移動局は、ＭＯＢ−ＳＬＰ−ＲＥＱメッセージまたはＭＯＢ−ＳＬＰ−ＲＳＰメッセージが無線リンク上で遺失されたと見なし、睡眠要請可能回数が残っている場合に基地局にＭＯＢ−ＳＬＰ−ＲＥＱメッセージを再伝送する。
【００３７】
表２は、本発明による睡眠応答待機タイマーの駆動時間と睡眠要請再試み回数の例示図である。
【００３８】
【表２】
2008516473.tif 000004
また、本発明は、遊休モードを初期化するとき、登録解除命令待機タイマーと登録解除要請再試み回数を設定して、登録解除要請（ＤＲＥＧ−ＲＥＱ）メッセージの再伝送を行う。
【００３９】
移動局は、基地局に登録解除要請（ＤＲＥＧ−ＲＥＱ）メッセージを伝送すると同時に、登録解除命令待機タイマーを設定する。もし、特定タイマー時間内に基地局から非登録命令メッセージを受信できないと、移動局は、ＤＲＥＧ−ＲＥＱメッセージまたはＤＲＥＧ−ＣＭＤメッセージが無線リンク上で遺失されたと見なし、非登録要請可能回数が残っている場合に基地局にＤＲＥＧ−ＲＥＱメッセージを再伝送する。
【００４０】
表３は、本発明による登録解除命令待機タイマーの駆動時間と登録解除要請再試み回数の例示図である。
【００４１】
【表３】
2008516473.tif 000005
この場合、基地局は移動局にＤＲＥＧ−ＣＭＤメッセージを伝送すると同時に、管理資源維持タイマー（Ｍａｎａｇｅｍｅｎｔ  Ｒｅｓｏｕｒｃｅ  Ｈｏｌｄｉｎｇ  Ｔｉｍｅｒ）を設定し、一定期間接続を維持する。以降、前記管理資源維持タイマーが満了すると、維持していた管理資源を解除する。
【００４２】
表４は、本発明による管理資源維持タイマーの例示図である。
【００４３】
【表４】
2008516473.tif 000006
表５は、本発明による登録解除応答待機タイマーの駆動時間と登録解除命令再試み回数の例示図である。
【００４４】
【表５】
2008516473.tif 000007
表６は、本発明によって移動局が基地局から要請しなかった登録解除命令（ｕｎｓｏｌｉｃｉｔｅｄ  ＤＲＥＧ−ＣＭＤ）メッセージを受信した場合、ＤＲＥＧ−ＲＥＱメッセージで応答するための登録解除要請符号を示す。
【００４５】
【表６】
2008516473.tif 000008
表７は、本発明によって移動局が、基地局から要請しなかった登録解除命令（ｕｎｓｏｌｉｃｉｔｅｄ  ＤＲＥＧ−ＣＭＤ）メッセージを受信した場合、ＤＲＥＧ−ＡＣＫメッセージで応答するためのメッセージフォーマットを示す。
【００４６】
【表７】
2008516473.tif 000009
図１０は、本発明の一実施例によるスキャン応答待機タイマーを用いたスキャン要請及び応答メッセージの流れ図である。
【００４７】
図１０を参照すると、移動局は、基地局にスキャン要請（ＭＯＢ−ＳＣＮ−ＲＥＱ）メッセージを伝送すると同時に、スキャン応答待機タイマーを駆動させる。もし、前記スキャン応答待機タイマーが終了するまで基地局からスキャン応答（ＭＯＢ−ＳＣＮ−ＲＳＰ）メッセージが受信できないと、移動局は、現在スキャン要請可能回数が残っているか否か確認する。確認結果、スキャン要請回数が残っている場合、前記タイマーを再設定した後、基地局にＭＯＢ−ＳＣＮ−ＲＥＱメッセージを再伝送する。その後、前記スキャン応答待機タイマー時間内に基地局からスキャン応答（ＭＯＢ−ＳＣＮ−ＲＳＰ）メッセージを受信すると、移動局は、該当の応答メッセージに含まれた情報によってスキャニング動作を行う。
【００４８】
図１１は、本発明の一実施例による睡眠応答待機タイマーを用いた睡眠要請及び応答メッセージの流れ図である。
【００４９】
図１１を参照すれば、移動局は、基地局に睡眠要請（ＭＯＢ−ＳＬＰ−ＲＥＱ）メッセージを伝送すると同時に、睡眠応答待機タイマーを駆動させる。もし、前記睡眠応答待機タイマーが終了するまで基地局から睡眠応答（ＭＯＢ−ＳＬＰ−ＲＳＰ）メッセージを受信できないと、移動局は、現在睡眠要請可能回数が残っているか確認する。確認結果、睡眠要請回数が残っていると、移動局は、前記タイマーを再設定した後、基地局にＭＯＢ−ＳＬＰ−ＲＥＱメッセージを再伝送する。その後、睡眠応答待機タイマー時間内に基地局から睡眠応答（ＭＯＢ−ＳＬＰ−ＲＳＰ）メッセージを受信すると、移動局は、該当の応答メッセージに含まれた情報によって睡眠モード動作を行う。
【００５０】
図１２は、本発明の一実施例による登録解除命令待機タイマーを用いた登録解除要請及び命令メッセージ流れ図（例えば、移動局が伝送した登録解除要請メッセージが無線上で遺失された場合）である。
【００５１】
図１２を参照すると、移動局は、基地局に登録解除要請（ＤＲＥＧ−ＲＥＱ）メッセージを伝送すると同時に、登録解除命令待機タイマーを駆動させる。もし、前記登録解除命令待機タイマーが終了するまで基地局から登録解除命令（ＤＲＥＧ−ＣＭＤ）メッセージが受信できないと、移動局は、現在登録解除要請再試み回数が残っているか確認する。確認結果、登録解除要請再試み回数が残っていると、移動局は、前記タイマーを再設定した後、基地局にＤＲＥＧ−ＲＥＱメッセージを再伝送する。その後、登録解除命令待機タイマー時間内に基地局からＤＲＥＧ−ＣＭＤメッセージを受信すると、移動局は、該当応答メッセージに含まれた情報によって遊休モード動作を行う。
【００５２】
図１３は、本発明の他の実施例による登録解除命令待機タイマーを用いた登録解除要請及び命令メッセージ流れ図（例えば、基地局が伝送した登録解除命令メッセージが無線上で遺失された場合）である。
【００５３】
図１３を参照すると、基地局は、移動局にＤＲＥＧ−ＣＭＤメッセージを伝送すると同時に、管理資源維持タイマー（Ｍａｎａｇｅｍｅｎｔ  Ｒｅｓｏｕｒｃｅ  Ｈｏｌｄｉｎｇ  Ｔｉｍｅｒ）を駆動させる。前記ＤＲＥＧ−ＣＭＤメッセージが無線上で遺失された場合、移動局は、登録解除命令待機タイマーが満了した後、前記管理資源維持タイマーによって維持された基本接続（Ｂａｓｉｃ  ｃｏｎｎｅｃｔｉｏｎ）を通じてＤＲＥＧ−ＲＥＱを再伝送する。これに応じて、基地局は、ＤＲＥＧ−ＣＭＤを移動局に伝送し、管理資源維持タイマーを再設定する。正常にＤＲＥＧ−ＣＭＤが移動局に伝送されたのち管理資源維持タイマーが終了すると、基地局は、移動局が遊休モードに切り換わったと判断し、維持していた管理資源を解除する。
【００５４】
図１４及び図１５は、本発明の他の実施例による方法を示す流れ図である。
【００５５】
図１４及び図１５を参照すると、本発明による技術的特徴が、移動局がＤＲＥＧ−ＲＥＱメッセージを通じて遊休モード初期化を要請しなかったとしても、前記基地局が前記移動局に伝送した要請されなかった登録解除命令（Ｕｎｓｏｌｉｃｉｔｅｄ  ＤＲＥＧ−ＣＭＤ）メッセージが無線上で遺失された場合に適用されている。
【００５６】
前記基地局は、前記移動局に要請されなかった登録解除命令（Ｕｎｓｏｌｉｃｉｔｅｄ  ＤＲＥＧ−ＣＭＤ）メッセージを伝送すると同時に、管理資源維持タイマー（Ｍａｎａｇｅｍｅｎｔ  Ｒｅｓｏｕｒｃｅ  Ｈｏｌｄｉｎｇ  Ｔｉｍｅｒ）及び登録解除命令応答待機タイマーを駆動させて、既に設定された所定時間の経過したか否かをチェックする。もし、前記登録解除応答待機タイマーが終了するまで前記移動局から前記Ｕｎｓｏｌｉｃｉｔｅｄ  ＤＲＥＧ−ＣＭＤに対する受信確認応答として登録解除応答（図１４のＤＲＥＧ−ＲＥＱまたは図１５のＤＲＥＧ−ＡＣＫ）メッセージが受信できないと、前記移動局は、現在既に設定された登録解除命令可能回数が残っているか確認する。確認結果、登録解除命令回数が残っていると、前記基地局は、前記管理資源維持タイマーを再設定した後、前記移動局にＵｎｓｏｌｉｃｉｔｅｄ  ＤＲＥＧ−ＣＭＤメッセージを再伝送し、前記管理資源維持タイマーを再設定する。その後、前記登録解除応答待機タイマー時間内に前記移動局から登録解除応答（ＤＲＥＧ−ＲＥＱまたはＤＲＥＧ−ＡＣＫ）メッセージを受信すると、前記基地局は、管理資源維持タイマーが満了した後、維持していた前記移動局に対する管理資源を解除する。
【００５７】
図１４は、前記移動局が前記基地局に登録解除応答メッセージを伝送する場合、表６の例のように、既存の登録解除要請メッセージを変形して前記登録解除応答メッセージを伝送する場合である。図１５は、表７の例のようなＤＲＥＧ−ＡＣＫメッセージを通じて前記登録解除応答メッセージを伝送する場合である。
【００５８】
本発明の一実施例として、無線接続システムで移動局と基地局間の動作状態を切り換えるためのメッセージ伝送方法は、前記移動局で、前記基地局に前記移動局と前記基地局間動作状態の切換を要請する第１メッセージを伝送し、同時に、第１回数を既に設定された第１値に設定し、第１タイマーを駆動するものの、前記基地局から第２メッセージを受信する前に前記第１タイマーが満了すると前記回数が減少し、もし前記回数が既に設定された第２値以上であると、前記第１タイマーは再設定され、前記第１メッセージは前記基地局に再伝送される段階を含む。前記方法はまた、基地局で、前記第１メッセージを受信し、前記移動局に動作状態切換に対する前記移動局の要求を承認する第２メッセージを伝送し、第２タイマーを駆動するものの、前記第２タイマーが満了すると前記動作状態が切り換わり、他の第１メッセージを受信するまで前記第２メッセージは前記移動局に再伝送され、前記第２タイマーは再設定される段階を含む。
【００５９】
前記第１メッセージは登録解除要請メッセージ（ＤＲＥＧ−ＲＥＱ）であり、前記第１タイマーは登録解除命令待機タイマーであり、前記第１回数は登録解除要請再伝送回数であり、前記動作状態の切換は遊休モード（ｉｄｌｅ  ｍｏｄｅ）への切換であり、前記第２メッセージは登録解除命令（ＤＲＥＧ−ＣＭＤ）であり、前記第２タイマーは資源管理維持タイマーであることを特徴とする。前記方法は、前記移動局で前記基地局から受信した前記第２メッセージに対応してスキャン動作を行う段階をさらに含むことができる。前記方法は、前記移動局で前記基地局から受信した前記第２メッセージに対応して遊休モードに進入する段階をさらに含むことができる。
【００６０】
他の実施例として、無線接続システムで移動局と基地局間に動作状態を切り換えるための方法は、動作状態の切換を要請する第１メッセージを受信する段階を含む。前記方法はまた、動作状態の切換を承認する第２メッセージを伝送する段階を含む。前記方法はまた、タイマーを駆動する段階を含む。前記方法はまた、前記タイマーが満了するまで、動作状態の切換を有効にする段階、及び他の第１メッセージを受信するまで、前記第２メッセージを再伝送し、前記タイマーを再設定する段階を含む。
【００６１】
前記第１メッセージは登録解除要請メッセージ（ＤＲＥＧ−ＲＥＱ）であり、前記動作状態切換は遊休モードへの切換であり、前記第２メッセージは登録解除命令メッセージ（ＤＲＥＧ−ＣＭＤ）であり、前記タイマーは資源管理維持タイマーであることを特徴とする。
【００６２】
さらに他の実施例として、無線接続システムで移動局と基地局間に動作状態を切り換えるための方法は、前記動作状態の切換を指示する第１メッセージを伝送する段階を含む。前記方法はまた、第１タイマーを駆動する段階、及び既に設定された第１値に対する回数を設定する段階を含む。前記方法はまた、第２タイマーを駆動するものの、第２メッセージを受信する前に前記第１タイマーが満了する場合、前記回数は減少し、もし前記回数が既に設定された値以上であると、前記第１タイマーは再設定され、前記第１メッセージは再伝送され、前記第２タイマーが満了すると、前記動作状態切換が有効になる段階を含む。
【００６３】
前記第１メッセージは要請されなかった登録解除命令メッセージ（ｕｎｓｏｌｉｃｉｔｅｄ  ＤＲＥＧ−ＲＥＱ）であり、前記動作状態切換は遊休モードへの切換であり、前記第２メッセージは登録解除要請メッセージ（ＤＲＥＧ−ＲＥＱ）及び登録解除承認メッセージ（ＤＲＥＧ−ＡＣＫ）のうち少なくとも一つであり、前記第１タイマーは登録解除応答待機タイマーであり、前記第２タイマーは資源管理維持タイマーであることを特徴とする。
【００６４】
したがって、本発明は、無線接続システムで限定された無線リンク資源及び／または無線環境的要素によってメッセージが遺失されることから生じる移動局または基地局の誤作動を防止できる効果的な処理手順を提供する。特に、本発明は、スキャン要請、睡眠要請及び登録解除要請メッセージを伝送し、そのための応答待機タイマーを運用する。これにより、前記要請メッセージまたは前記応答メッセージが遺失されても、前記タイマーが満了した後に相応する要請メッセージが再伝送される。
【００６５】
本発明の思想や領域を逸脱しない様々な改変が本発明においてできるということは当業者にとって自明である。したがって、本発明は、添付した請求請求の範囲とその当均の範囲で提供された様々な改変も含むことは無論である。
【図面の簡単な説明】
【００６６】
【図１】スキャン要請（ＭＯＢ−ＳＣＮ−ＲＥＱ）メッセージのフォーマットを示す図である。
【図２】スキャン応答（例えば、ＭＯＢ−ＳＣＮ−ＲＳＰ）メッセージのフォーマットを示す図である。
【図３】睡眠要請（例えば、ＭＯＢ−ＳＬＰ−ＲＥＱ）メッセージのフォーマットを示す図である。
【図４】睡眠応答（例えば、ＭＯＢ−ＳＬＰ−ＲＳＰ）メッセージのフォーマットを示す図である。
【図５】登録解除要請（例えば、ＤＲＥＧ−ＲＥＱ）メッセージのフォーマットを示す図である。
【図６】登録解除命令（例えば、ＤＲＥＧ−ＣＭＤ）メッセージに含まれる動作コードを示す図である。
【図７】スキャン要請及び応答メッセージが遺失される場合を示す信号流れ図である。
【図８】睡眠要請及び応答メッセージが遺失される場合を示す信号流れ図である。
【図９】登録解除要請及び命令メッセージが遺失される場合を示す信号流れ図である。
【図１０】本発明によるスキャン応答待機タイマーを用いたスキャン要請及び応答メッセージの流れ図である。
【図１１】本発明の一実施例による睡眠応答待機タイマーを用いた睡眠要請及び応答メッセージの流れ図である。
【図１２】本発明の一実施例による登録解除命令待機タイマーを用いた登録解除要請及び命令メッセージ流れ図（例えば、移動局が伝送した登録解除要請メッセージが無線上で遺失された場合）である。
【図１３】本発明の他の実施例による登録解除命令待機タイマーを用いた登録解除要請及び命令メッセージ流れ図（例えば、基地局が伝送した登録解除命令メッセージが無線上で遺失された場合）である。
【図１４】本発明の他の実施例による方法を示す流れ図である。
【図１５】本発明の他の実施例による方法を示す流れ図である。
【図１】
2008516473.tif 000010
【図２】
2008516473.tif 000011
【図３】
2008516473.tif 000012
【図４】
2008516473.tif 000013
【図５】
2008516473.tif 000014
【図６】
2008516473.tif 000015
【図７】
2008516473.tif 000016
【図８】
2008516473.tif 000017
【図９】
2008516473.tif 000018
【図１０】
2008516473.tif 000019
【図１１】
2008516473.tif 000020
【図１２】
2008516473.tif 000021
【図１３】
2008516473.tif 000022
【図１４】
2008516473.tif 000023
【図１５】
2008516473.tif 000024
【国際調査報告】
2008516473.tif 000025
2008516473.tif 000026